(57)【要約】【課題】空気の汚染状況に合わせて、自動で正確に運転・停止することができる負イオン発生装置を提供することを目的とする。【解決手段】本体４内に備えたガスセンサー１６と、本体４運転時に温湿度の変化に対応してガスセンサー１６の抵抗値を補正する補正部１８ｂと、運転状態が変化した時には周囲温湿度が安定するまでの時間をカウントする遅延カウント部１８ｃにより、自動運転設定時には制御部１８がガスセンサー１６の抵抗値を補正して、誤動作なく正確に本体４の運転・停止を行うことができる。【選択図】図１
2005293896.tif 000002
【特許請求の範囲】
【請求項１】
吸入口と吹出口を有した本体と、供給された水を回転する水拡散板により飛散させて微細水滴を発生させる微細水滴発生手段と、この微細水滴発生手段で発生した微細水滴と前記吸込口から吸引した室内空気を混合して搬送する送風手段と、操作部の入力により前記微細水滴発生手段と前記送風手段を制御する制御部と、空気中の還元ガスの量により抵抗値の変化するガスセンサーを有し、前記制御部は前記ガスセンサーの抵抗値の変化により前記微細水滴発生手段または前記送風手段の運転・停止を行う負イオン発生装置。
【請求項２】
ガスセンサーの抵抗値の変化に応じて、微細水滴発生手段または送風手段の運転を段階的に変化させてなる請求項１記載の負イオン発生装置。
【請求項３】
制御部は、微細水滴生成時に温度低下や湿度上昇が発生するのをあらかじめ想定し、ガスセンサーの抵抗値の補正を行う請求項１記載の負イオン発生装置。
【請求項４】
制御部は、微細水滴発生手段または送風手段の運転を段階的に変化させる時は、ガスセンサーの抵抗値に各段階に応じた補正を行う請求項２または３記載の負イオン発生装置。
【請求項５】
制御部は、ガスセンサーの抵抗値が略一定となってから、抵抗値の補正を行うこととした請求項２〜４記載の負イオン発生装置。
【請求項６】
本体内に設けたガスセンサーの近傍に温度センサーまたは湿度センサーを備え、制御部は前記ガスセンサーの抵抗値に対して、前記温度センサーまたは前記湿度センサーによる補正を行うこととした請求項３記載の負イオン発生装置。
【発明の詳細な説明】
【技術分野】
【０００１】
本発明は、レナード現象を利用して空気中に負イオンを供給する負イオン発生装置に関するものである。
【背景技術】
【０００２】
この種の負イオン発生装置は、水の衝突により微細水滴を発生し、この微細水滴を送風手段により室内に吹出すことにより、空気を清浄化するものが知られている（例えば特許文献１参照）。
【０００３】
以下、その負イオン発生装置について図１２を参照しながら説明する。
【０００４】
図に示すように、本体１０４に吸込口１０１と吹出口１０２を設け、本体１０４内部には給水口１０５から供給した水を噴霧ノズル１０６により飛散させ、対向面１０７に衝突させて微細水滴を発生させる微細水滴発生手段１０８と、この微細水滴を搬送する送風手段１０９を設け、後流側に微細水滴をさらに大小分離する気水分離手段１１０を設けている。また、給水タンク１１１により供給された水を噴霧ノズル１０６に送り込むポンプ１１２を設けている。
【０００５】
上記構成において、ポンプ１１２と送風手段１０９を運転することにより、噴霧のずる１０６から対向壁面１０７に水を衝突させて微細水滴とし、吸込口１０１から室内空気を送風手段１０９により吸込んで微細水滴を搬送し、吹出口１０２より室内に吐出することにより、負イオンの発生とともに室内空気を清浄化するものである。
【特許文献１】実開平４−１２６７１７号公報（図１）
【発明の開示】
【発明が解決しようとする課題】
【０００６】
このような従来の負イオン発生装置では、アンモニアや酢酸などの水溶性の臭気成分を脱臭する脱臭機能や空気浄化機能があるにもかかわらず、負イオン発生昨日を中心とした運転制御がなされているため、室内空気が充分に清浄化されたあとも連続運転され、使用者の判断により、運転・停止の操作をする必要があるという課題があり、空気が清浄化されたときは、自動的に運転・停止することが要求されている。
【０００７】
また、運転中は室内の温度・湿度が変化しやすいので、ガスセンサーを用いた運転制御では検出精度が得られないとともに、刻々と変化する温湿度環境に追従したガス濃度検出ができないという課題があり、機器運転による温湿度環境の変化に対応して自動的に運転制御できることが要求されている。
【０００８】
本発明はこのような従来の課題を解決するものであり、機器の運転により室内空気が浄化されたときには自動的に運転を停止し、空気汚れが生じたときは自動的に運転を開始し、また空気の汚れ度合いを正確にかつ迅速に検出して、汚れ状態に即応した速調運転のできる負イオン発生装置を提供することを目的としている。
【課題を解決するための手段】
【０００９】
本発明の負イオン発生装置は上記目的を達成するために、吸入口と吹出口を有した本体と、供給された水を回転する水拡散板により飛散させて微細水滴を発生させる微細水滴発生手段と、この微細水滴発生手段で発生した微細水滴と前記吸込口から吸引した室内空気を混合して搬送する送風手段と、操作部の入力により前記微細水滴発生手段と前記送風手段を制御する制御部と、空気中の還元ガスの量により抵抗値の変化するガスセンサーを有し、前記制御部は前記ガスセンサーの抵抗値の変化により前記微細水滴発生手段または前記送風手段の運転・停止を行う構成としたものである。
【００１０】
この手段により、機器の運転により室内空気が浄化されたときには自動的に運転を停止し、空気汚れが生じたときは自動的に運転を開始できる負イオン発生装置が得られる。
【００１１】
また他の手段は、ガスセンサーの抵抗値の変化に応じて、微細水滴発生手段または送風手段の運転を段階的に変化させてなる構成としたものである。
【００１２】
また他の手段は、制御部は、微細水滴生成時に温度低下や湿度上昇が発生するのをあらかじめ想定し、ガスセンサーの抵抗値の補正を行う構成としたものである。
【００１３】
また他の手段は、制御部は、微細水滴発生手段または送風手段の運転を段階的に変化させる時は、ガスセンサーの抵抗値に各段階に応じた補正を行う構成としたものである。
【００１４】
また他の手段は、制御部は、ガスセンサーの抵抗値が略一定となってから、抵抗値の補正を行う構成としたものである。
【００１５】
また他の手段は、本体内に設けたガスセンサーの近傍に温度センサーまたは湿度センサーを備え、制御部は前記ガスセンサーの抵抗値に対して、前記温度センサーまたは前記湿度センサーによる補正を行う構成としたものである。
【００１６】
これらの手段により、空気の汚れ度合いを正確にかつ迅速に検出して、汚れ状態に即応した速調運転のできる負イオン発生装置が得られる。
【発明の効果】
【００１７】
本発明によれば、室内の空気汚れに応じて自動で運転・停止することができる負イオン発生装置を提供することができる。
【００１８】
また、室内の空気汚れに応じた段階的な速調運転を自動で行うことができる。
【００１９】
また、運転時にガスセンサーの周囲温度低下や湿度上昇が発生するのを、あらかじめ想定してガスセンサーの抵抗値の補正をおこない、正確に自動運転・自動停止を行うことができる。
【００２０】
また、室内の空気汚れにより段階的な速調運転を自動で行うときには、速調運転の段階に応じてガスセンサーの抵抗値に補正を行うため、正確に運転を段階的におこなうことができる。
【００２１】
また、運転状態が変化した時には、制御部はガスセンサーの周囲温湿度が安定するまで一定時間遅らせて、ガスセンサーの抵抗値に補正を行うため、誤動作のない正確な運転をすることができる。
【００２２】
また、制御部がガスセンサーの抵抗値に対して、温度センサーまたは湿度センサーの入力値に応じた正確な補正ができるため、本体内の急激な温湿度変化に対してガスセンサーの抵抗値の補正を正確に行うことができるとともに、室内の空気汚れに応じた運転制御をすばやく行うことができる。
【発明を実施するための最良の形態】
【００２３】
本発明の請求項１記載の発明は、吸入口と吹出口を有した本体と、供給された水を回転する水拡散板により飛散させて微細水滴を発生させる微細水滴発生手段と、この微細水滴発生手段で発生した微細水滴と前記吸込口から吸引した室内空気を混合して搬送する送風手段と、操作部の入力により前記微細水滴発生手段と前記送風手段を制御する制御部と、空気中の還元ガスの量により抵抗値の変化するガスセンサーを有し、前記制御部は前記ガスセンサーの抵抗値の変化により前記微細水滴発生手段または前記送風手段の運転・停止を行うものとしたものであり、負イオン発生装置を自動運転設定とすれば、周囲の空気が汚れたときにはガスセンサーの抵抗値が変化して自動で運転し、周囲の空気が清浄となったときには自動で停止するため、使用者がＯＮ・ＯＦＦ操作する必要がなく、自動で運転・停止するという作用を有する。
【００２４】
また、ガスセンサーの抵抗値の変化に応じて、微細水滴発生手段または送風手段の運転を段階的に変化させてなる構成としたものであり、室内の空気汚れ度合に応じて負イオン発生装置の運転を段階的に変えることができる。
【００２５】
また、制御部は、微細水滴生成時に温度低下や湿度上昇が発生するのをあらかじめ想定し、ガスセンサーの抵抗値の補正を行う構成としたものであり、ガスセンサーの周囲温湿度の変化による抵抗値の変化を、あらかじめ記憶した補正値で補正するため、正確に運転・停止ができるという作用を有する。
【００２６】
また、制御部は、微細水滴発生手段または送風手段の運転を段階的に変化させる時は、ガスセンサーの抵抗値に各段階に応じた補正を行う構成としたものであり、運転の強さに応じた周囲温湿度の変化によるガスセンサーの抵抗値変化を、運転段階毎の補正値で補正できるため、正確に運転を段階的に変えることができるという作用を有する。
【００２７】
また、制御部は、ガスセンサーの抵抗値が略一定となってから、抵抗値の補正を行うこととした構成としたものであり、負イオン発生装置の運転状態が変わり、ガスセンサーの周囲温湿度が変化している状態では、ガスセンサーの抵抗値も安定せず、周囲温湿度が安定した状態になってからガスセンサーの抵抗値を取り込むことにより、安定状態の抵抗値に補正を行うため、正しい運転状態にできるという作用を有する。
【００２８】
また、本体内に設けたガスセンサーの近傍に温度センサーまたは湿度センサーを備え、制御部は前記ガスセンサーの抵抗値に対して、前記温度センサーまたは前記湿度センサーによる補正を行う構成としたものであり、本体内に設けたガスセンサーの抵抗値を温度センサーまたは湿度センサーの入力値で補正しているため、周囲温度または湿度が変化しても正確なガスセンサーの抵抗値に補正できるため、自動運転時にガスセンサーの抵抗値を即座に正確に補正することができ、運転状態の切り替えも即座に行うことができるという作用を有する。
【００２９】
以下、本発明の実施の形態について図面を参照しながら説明する。
【００３０】
（実施の形態１）
図１〜図３に示すように、箱状の本体４は側方の吸込口１を上面に吹出口２を設け、前面は部材を組み込めるように開口し前面の開口には前面パネル３を着脱自在に設けている。本体４内には給水口５から供給した水を回転する円盤状の水拡散板６により飛散させ対向壁面７に衝突させて微細水滴を発生させる微細水滴発生手段８と、この微細水滴を搬送する送風手段９と、搬送される水滴を大小の水滴に分離する気水分離手段１０を設けている。また本体４に着脱自在に装着される給水タンク１１と給水タンク１１の水を給水口５に送り込むポンプ１２を設けている。本体４の上部には表示部１３と入力部１４とからなる操作部１５を設け、ガスセンサー１６が開口部２６に面して収納されている。ガスセンサー１６は図１０に示すように、温度が上昇すると抵抗値が小さく、湿度が上昇すれば抵抗値が大きくなる特性を有しており、図１１に示すようにガスセンサー１６周囲の温湿度は負イオン発生装置の運転開始とともに急激に変化するものである。
【００３１】
操作部１５の下方には電装部品として、商用電源１７から制御部１８およびガスセンサー１６に供給する電源を生成する電源部２３と、入力部１４の操作に応じて送風手段９、水拡散板６、ポンプ１２をそれぞれ駆動する送風駆動部２０、水拡散板駆動部２１、ポンプ駆動部２２が搭載されている。入力部１４は電源切／入スイッチ１４ａ、自動設定スイッチ１４ｂ、手動設定スイッチ１４ｃを備え、表示部１３は自動設定表示１３ａ、手動設定表示１３ｂを備えている。
【００３２】
制御部１８は、自動運転設定にされたときには、清浄時の抵抗値Ｒｓと空気汚染時の抵抗値Ｒとの比率Ｒ／Ｒｓの値が設定値Ｋより小さくなれば、負イオン発生装置は運転状態とし、大きければ停止する判定部１８ａが設けられている。
【００３３】
また、負イオン発生装置が運転状態となったとき、ガスセンサー１６の周囲温湿度がどれぐらい変化するかを予め実験により求めており、自動運転時には周囲温湿度の変化に応じた補正をガスセンサー１６の抵抗値に行って検出値Ｒとする補正部１８ｂを制御部１８に設けている。
【００３４】
また、負イオン発生装置が自動運転設定で運転状態から停止状態、または停止状態から運転状態となったときには、ガスセンサー１６の周囲温湿度が変化し一定の温湿度になるにはＴ時間必要であるため、このＴ時間経過後に制御部１８がガスセンサー１６の値を検出するように遅延検出部１８ｃを設けている。
【００３５】
上記構成において、図３および図４を用いて動作を説明する。
【００３６】
ステップ４０〜４２により、電源切／入スイッチ１４ａの入力により電源が入り、自動設定スイッチ１４ｂの入力により自動設定表示１３ａが点灯し自動運転設定となる。ステップ４３でガスセンサー１６の抵抗値Ｒを検出し、ステップ４４でその抵抗値Ｒと清浄時の抵抗値Ｒｓの比率Ｒ／Ｒｓと、設定値Ｋとの比較を行い、小さければ制御部１８は送風駆動部２０、水拡散板駆動部２１、ポンプ駆動部２２を駆動してステップ４５で運転状態とする。
【００３７】
ステップ４６で制御部１８が停止状態から運転状態になったと判定したときは、ステップ４７でガスセンサー１６の周囲の温湿度が一定となるＴ時間が経過するのを待ち、その後ステップ４８でガスセンサー１６の抵抗値を検出する。ステップ４６で停止状態から運転状態になっていないときには、ステップ４７を飛ばしステップ４８のガスセンサー抵抗値Ｒの検出を行う。
【００３８】
さらに、ステップ４９で制御部１８はガスセンサー１６の抵抗値Ｒを記憶している補正値Ｘにより補正して検出値Ｒとしてステップ４４にもどり、清浄時の抵抗値Ｒｓとの比率Ｒ／Ｒｓと設定値Ｋとの比較を再度行う。
【００３９】
また、ステップ４４でガスセンサー１６の抵抗値Ｒと清浄時の抵抗値Ｒｓの比率Ｒ／Ｒｓと設定値Ｋとの比較を行い、大きければステップ５０の停止状態となる。
【００４０】
停止状態となったときには、ステップ５１で制御部１８が運転状態から停止状態になったと判定したときは、ステップ５２でガスセンサー１６の周囲の温湿度が一定となるＴ時間が経過するのを待ち、その後ステップ５３でガスセンサー１６の抵抗値Ｒを検出する。ステップ５１で運転状態から停止状態になっていないと判断したときには、ステップ５２を飛ばしステップ５３のガスセンサー１６の抵抗値Ｒの検出を行い、ステップ４４に戻り、再度比較を行う。
【００４１】
このように本発明の実施の形態１の負イオン発生装置によれば、操作部１５の自動設定スイッチ１４ｂで自動運転を設定したとき、制御部１８が本体４上部に搭載したガスセンサー１６変化に応じて、運転・停止を自動で行うことができる。
【００４２】
また、負イオン発生装置の運転時には、ガスセンサー１６の周囲の温度が低下するとともに湿度が上昇するため、空気汚れに変化がなくてもガスセンサー１６の抵抗値値が変化し、停止状態になることがあるが、制御部１８がガスセンサー１６の値を補正値Ｘにより補正して検出値Ｒｘとするため、誤動作のない正確な運転・停止を自動で行うことができる。
【００４３】
また、負イオン発生装置が停止状態から運転状態になったときや、逆に運転状態から停止状態となったときは、すぐにはガスセンサー１６周囲の温湿度は変わらないので、ガスセンサー１６の周囲温湿度が安定するまでの一定時間Ｔが経過してから、ガスセンサー１６の値を検出することにより、安定した自動運転を行うことができる。
【００４４】
（実施の形態２）
本実施の形態は前記実施の形態と制御方法が異なるのみであり、同一構成のものは同一番号を付して詳しい説明は省略する。
【００４５】
図５に示すように、本体４の上部には表示部１３と入力部１４とからなる操作部２４が設けられている。
【００４６】
操作部２４の下部には、商用電源１７から制御部２５およびガスセンサー１６に供給する電源を生成する電源部２３と、送風駆動部２０、水拡散板駆動部２１、ポンプ駆動部２２が搭載されている。
【００４７】
制御部２５の判定部２５ａは、自動運転設定にされたときに清浄時の抵抗値Ｒｓと空気汚染時の抵抗値Ｒとの比率Ｒ／Ｒｓの値が、設定値Ｋ１より小さくかつ設定値Ｋ２より大きければ、負イオン発生装置を弱運転とする。また比率Ｒ／Ｒｓの値が、設定値Ｋ２より小さくかつ設定値Ｋ３より大きければ、負イオン発生装置を中運転とし、設定値Ｋ３より小さければ強運転とし、設定値Ｋ１より大きければ停止する。
【００４８】
また、弱運転から強運転の各運転時にガスセンサー１６の周囲温湿度がどれぐらい変化するか予め実験により求めており、温湿度変化による抵抗値の補正を各運転状態に応じて行い、弱運転では補正値Ｘ１を、中運転では補正値Ｘ２を、強運転では補正値Ｘ３を検出したガスセンサー１６の値に補正して抵抗値Ｒとする補正部２５ｂが設けられている。
【００４９】
また、制御部２５の遅延検出部２５ｃは、Ｔ時間経過後にガスセンサー１６の値を検出するものである。
【００５０】
上記構成において、図６を用いて動作を説明する。
【００５１】
ステップ５５〜５７により、負イオン発生装置は電源切／入スイッチ１４ａの入力により電源入りとなり、自動設定スイッチ１４ｂの入力により制御部１８が自動設定表示１３ａを点灯させ自動運転設定となる。ステップ５８でガスセンサー１６の抵抗値Ｒを検出し、ステップ５９〜６１でその抵抗値Ｒと清浄時の抵抗値Ｒｓの比率Ｒ／Ｒｓと、設定値Ｋ１、Ｋ２、Ｋ３との比較を行い、設定値Ｋ１より小さく設定値Ｋ２より大きければ負イオン発生装置はステップ７２の弱運転となり、設定値Ｋ２より小さく設定値Ｋ３より大きければ負イオン発生装置はステップ６７の中運転となり、設定値Ｋ３より小さければステップ６３の強運転となり、設定値Ｋ１より大きければステップ７８の停止となる。
【００５２】
ステップ６２の強運転となったときには、ステップ６３で停止状態から強運転あるいは運転切替りかを判定し、ＹＥＳのときには、ステップ６４でガスセンサー１６の周囲の温湿度が一定となるＴ時間が経過するのを待ち、その後ステップ６５でガスセンサー１６の抵抗値を検出する。ステップ６３でＮＯのときには、ステップ６４を飛ばしステップ６５のガスセンサー抵抗値Ｒの検出を行う。
【００５３】
ステップ６６で制御部２５はガスセンサー１６の抵抗値Ｒを記憶している補正値Ｘ１により補正して検出値Ｒとして、ステップ５９にもどり清浄時の抵抗値Ｒｓとの比率Ｒ／Ｒｓと設定値Ｋ１〜３との比較を再度順次行う。
【００５４】
ステップ６７で中運転になった時にも、同様にステップ６８〜７１で比較または補正の処理を行い、ステップ５９に戻る。
【００５５】
また、ステップ７２で弱運転となった時にも、同様にステップ７３〜７６を経て、ステップ５９に戻る。
【００５６】
ステップ７８の停止となったときには、ステップ７９で制御部１８は運転から停止になったのかを判定し、ＹＥＳのときには、ステップ８０でガスセンサー１６の周囲の温湿度が一定となるＴ時間が経過するのを待ち、その後ステップ８１でガスセンサー１６の抵抗値Ｒを検出する。ステップ７９でＮＯのときには、ステップ８０を飛ばしステップ８１のガスセンサー抵抗値Ｒの検出を行い、ステップ５９に戻り、再度比較を順次行う。
【００５７】
このように本発明の実施の形態２の負イオン発生装置によれば、自動設定スイッチ１４ｂで自動運転とすることで、制御部２５が本体４上部に搭載したガスセンサー１６変化に応じて、強中弱および停止の速調運転の変更を自動で行うことができる。
【００５８】
また、運転時には本体４内の温湿度変化の影響で、ガスセンサー１６の周囲の温度が低下するとともに湿度が上昇するため、空気汚染の変化がなくてもガスセンサー１６の値が変化して誤動作することがあるが、制御部２５がガスセンサー１６の値を補正値Ｘ１〜３により補正して判定するため誤動作はなく、正確な速調運転および停止を自動で行うことができる。
【００５９】
また、運転状態が変わったときなどには、温湿度が安定するまでの一定時間Ｔを経過してから、ガスセンサー１６の値を検出するので、誤動作のない自動運転ができる。
【００６０】
（実施の形態３）
図７および図８に示すように、本体内に設けたガスセンサー１６の近傍には温度センサー３０と湿度センサー３１が設けられ、制御部３２の入力側に接続されている。
【００６１】
入力部１４には電源切／入スイッチ１４ａ、自動設定スイッチ１４ｂ、手動設定スイッチ１４ｃがあり、表示部１３には自動設定表示１３ａと手動設定表示１３ｂがある。
【００６２】
制御部３２には換算部３２ａを設け、ガスセンサー１６の抵抗値Ｒを温度センサー３０と湿度センサー３１の入力値から、基準とする温湿度での抵抗値Ｒｙに換算するものである。
【００６３】
また、制御部３２には判定部３２ｂを設け、自動運転設定にされたときに、温度センサー３０と湿度センサー３１の入力から、基準となる温湿度に換算した清浄時の換算抵抗値Ｒｙｓと空気汚染時の抵抗値Ｒｙとの比率Ｒｙ／Ｒｙｓの値が、設定値Ｋｙ１より小さく設定値Ｋｙ２より大きければ負イオン発生装置は弱運転となし、設定値Ｋｙ２より小さく設定値Ｋｙ３より大きければ負イオン発生装置は中運転となし、設定値Ｋｙ３より小さければ強運転となし、設定値Ｋｙ１より大きければ停止の判定をするものである。
【００６４】
上記構成において、図９に基づき負イオン発生装置の動作を説明する。
【００６５】
ステップ８５〜８７により、自動設定スイッチ１４ｂの入力により制御部１８が自動設定表示１３ａを点灯させ自動運転設定となる。
【００６６】
ステップ８８でガスセンサー１６の抵抗値Rを検出し、ステップ８９で現在温湿度を検出し、ステップ８９でガスセンサー１６の検出値Ｒを現在温湿度を元に基準となる温湿度での換算抵抗値値Ｒｙに変換する。
【００６７】
ステップ９１〜９３でその換算抵抗値Ｒｙと清浄時の換算抵抗値Ｒｙｓの比率Ｒｙ／Ｒｙｓと、設定値Ｋｙ１、Ｋｙ２、Ｋｙ３との比較を行う。設定値Ｋｙ１より小さく設定値Ｋｙ２より大きければ負イオン発生装置はステップ９６の弱運転となり、設定値Ｋｙ２より小さく設定値Ｋｙ３より大きければ負イオン発生装置はステップ９５の中運転となり、設定値Ｋｙ３より小さければステップ９４の強運転となり、設定値Ｋｙ１より大きければステップ９７の停止状態となる。
【００６８】
そして、各々の運転状態からステップ８８にもどり、再度ガスセンサー１６の抵抗値検出を行う。
【００６９】
さらに、ガスセンサー１６の抵抗値Ｒを現在温湿度を元に基準となる温湿度での換算抵抗値Ｒｙを求める方法を具体的に説明する。
【００７０】
図１１は、負イオン発生装置を運転させた時にガスセンサー周囲温湿度がどのように変化するかを縦軸左の温度を縦軸右に湿度をとり、横軸に時間をとって示したものである。
【００７１】
このとき基準とする温湿度を２０℃、６５％とすると、ガスセンサーは図１０から５０ｋΩとなっている。次に運転開始時の周囲温湿度２０℃、４０％では、ガスセンサーは図１０から４７ｋΩになっているため、基準となる温湿度の抵抗値にするため１．０６倍の換算を行いＲｙとしている。同じように運転５分経過後の周囲温湿度１８℃、８５％では、ガスセンサーは図１０から５８ｋΩになっているため、基準となる温湿度の抵抗値にするため０．８６倍の換算を行いＲｙとしている。
【００７２】
このように本発明の実施の形態３の負イオン発生装置によれば、制御部３２が本体４上部に搭載したガスセンサー１６の抵抗値を温度センサー３０と湿度センサー３１で基準となる温湿度で変換した抵抗値と基準値とを比較することにより、ガスセンサー１６は本体内にあるため、周囲温湿度変化を受け易いものであるが、その影響を補正して正確な速調運転をすることができる。
【００７３】
また、ガスセンサー１６周囲の温湿度が変化している時でも、常にガスセンサー１６の値を温度センサー３０と湿度センサー３１で基準となる温湿度の値に変換しているので、周囲温湿度が変化している最中でも運転状態の判定が即座にできる。
【００７４】
なお、本実施例では温度センサー３０と湿度センサー３１の２つのセンサーを用いたが、どちらか１つのセンサーを用いても同様の効果を発揮することができる。
【産業上の利用可能性】
【００７５】
本体内に設けられたガスセンサーの周囲温湿度が変化しても、ガスセンサーの抵抗値に補正を行い、その値で判断して正確な自動運転ができるので、冷暖房機能や除加湿機能を備えた空気清浄機にも適用できるものである。
【図面の簡単な説明】
【００７６】
【図１】本発明の実施の形態１および実施の形態２の負イオン発生装置の断面図
【図２】同負イオン発生装置の外観斜視図
【図３】本発明の実施の形態１の負イオン発生装置の制御ブロック図
【図４】同負イオン発生装置のフローチャート
【図５】本発明の実施の形態２の負イオン発生装置の制御ブロック図
【図６】同負イオン発生装置のフローチャート
【図７】本発明の実施の形態３の負イオン発生装置の要部断面図
【図８】同負イオン発生装置の制御ブロック図
【図９】同負イオン発生装置のフローチャート
【図１０】本発明の実施の形態１〜３のガスセンサーの温湿度特性図
【図１１】同運転時におけるガスセンサー周囲の温湿度のタイムチャート
【図１２】従来の負イオン発生装置の断面図
【符号の説明】
【００７７】
１    吸込口
２    吹出口
４    本体
６    水拡散板
８    微細水滴発生手段
９    送風手段
１５  操作部
１６  ガスセンサー
１８  制御部
２５  制御部
３０  温度センサー
３１  湿度センサー
３２  制御部
【図１】
2005293896.tif 000003
【図２】
2005293896.tif 000004
【図３】
2005293896.tif 000005
【図４】
2005293896.tif 000006
【図５】
2005293896.tif 000007
【図６】
2005293896.tif 000008
【図７】
2005293896.tif 000009
【図８】
2005293896.tif 000010
【図９】
2005293896.tif 000011
【図１０】
2005293896.tif 000012
【図１１】
2005293896.tif 000013
【図１２】
2005293896.tif 000014